(57)【要約】      （修正有）【課題】可動装飾部材が動く際に導光板を損傷させるのを防止した弾球遊技機の遊技盤を提供する。【解決手段】板状に形成されて前面側に所定の遊技領域が形成されるベース部材と、ベース部材の略中央部に形成された中央穴部の周囲に沿って延びてベース部材の後側に固定された固定部材と、中央穴部を介して前方から視認可能な出現位置と、出現位置から退いて固定部材と重なる待機位置とに固定部材に対し移動可能に設けられた左右の可動装飾部材１５５Ｌ，１５５Ｒと、出現位置に移動した状態の可動装飾部材１５５Ｌ，１５５Ｒの前方に配設された導光板を有する発光表示装置２００と、可動装飾部材１５５Ｌ，１５５Ｒの移動方向に沿って延びて固定部材に取り付けられ、可動装飾部材１５５Ｌ，１５５Ｒを当該移動方向に案内して移動させる左右の案内駆動機構とを備えている。【選択図】図８
2015150171.tif 000002
【特許請求の範囲】
【請求項１】
板状に形成されて前面側に所定の遊技領域が形成されるベース部材と、
前記ベース部材の略中央部に形成された中央穴部の周囲に沿って延びて前記ベース部材
の後側に固定された固定部材と、
前記中央穴部を介して前方から視認可能な出現位置と、前記出現位置から退いて前記固
定部材と重なる待機位置とに前記固定部材に対し移動可能に設けられた可動装飾部材と、
前記出現位置に移動した状態の前記可動装飾部材の前方もしくは後方に配設された透明
もしくは半透明の導光板と、
前記可動装飾部材の移動方向に沿って延びて前記固定部材に取り付けられ、前記可動装
飾部材を前記移動方向に案内して移動させる案内駆動機構とを備えることを特徴とする弾
球遊技機の遊技盤。
【請求項２】
前記導光板に入射する光を発光させることが可能なランプを備え、
前記導光板に、前記ランプで発光した光が入射すると発光可能な模様が形成されている
ことを特徴とする請求項１に記載の弾球遊技機の遊技盤。
【請求項３】
前記ベース部材の前記中央穴部に取り付けられた開口部を有するセンター飾りを備え、
前記導光板は、前記センター飾りに前記開口部を塞いで取り付けられて、前記出現位置
に移動した状態の前記可動装飾部材の前方に配置されることを特徴とする請求項１または
２に記載の弾球遊技機の遊技盤。
【請求項４】
前記可動装飾部材を前記固定部材に対し一時的に固定することが可能な仮固定手段を備
え、
前記仮固定手段は、棒状の仮固定部材と、
前記固定部材に貫通して設けられ、前記仮固定部材を挿通させることが可能な挿通穴部
と、
前記可動装飾部材側に設けられ、前記挿通穴部に挿通された前記仮固定部材と係脱可能
に係合することが可能な係合穴部とを有し、
前記挿通穴部に挿通されて前記係合穴部と係合した前記仮固定部材を介して、前記可動
装飾部材を前記固定部材に対し一時的に固定することができるように構成されており、
前記固定部材に、前記可動装飾部材が移動可能な状態で前記仮固定部材を着脱可能に保
持することが可能な保持部が設けられることを特徴とする請求項１から３のいずれか一項
に記載の弾球遊技機の遊技盤。
【発明の詳細な説明】
【技術分野】
【０００１】
本発明は、ぱちんこ遊技機等の弾球遊技機の遊技盤に関する。
【背景技術】
【０００２】
ぱちんこ遊技機には、遊技領域を構成する遊技盤のほぼ中央にセンター飾りを配置し、
このセンター飾りに液晶ディスプレイ等の演出表示装置を設けたものが知られている。こ
のようなぱちんこ遊技機は、遊技領域内に設けられた始動入賞口に遊技球が入球したこと
を契機として、演出表示装置において複数の図柄（装飾図柄）を変動させた後に停止表示
したときの図柄の組み合わせが予め設定された当たり図柄であった場合、特別遊技状態（
大当たり）を成立させるように構成されている。特別遊技状態においては、遊技領域内に
設けられたアタッカーと称される大入賞口を開放して遊技球の入球を容易にし、これによ
り遊技者が大量の賞球を獲得できるようになっている。
【０００３】
一方、演出表示装置における抽選結果を示唆する演出表示のみでは遊技に興趣性を持た
せることが難しく、単調な遊技内容となりやすい。そこで、遊技領域に演出表示装置と共
に、遊技の展開状況に応じて所要の演出動作を実行する可動装飾部材を備えた装飾装置を
設け、この装飾装置を演出表示装置上で行われる演出表示と同期・融合させて適時動作さ
せることにより、視覚的な演出効果をさらに向上させるようにした構成が知られている（
例えば、特許文献１を参照）。
【先行技術文献】
【特許文献】
【０００４】
【特許文献１】特開２０１２−１２５４５７号公報
【発明の概要】
【発明が解決しようとする課題】
【０００５】
近年、演出表示装置の画面に重ねて所定の模様を発光表示可能な導光板も採用されつつ
ある。しかしながら、従来の遊技盤では、可動装飾部材が動く際に導光板に当接して導光
板を損傷させる可能性があった。
【０００６】
本発明は、このような課題に鑑みてなされたものであり、可動装飾部材が動く際に導光
板を損傷させるのを防止した弾球遊技機の遊技盤を提供することを目的とする。
【課題を解決するための手段】
【０００７】
このような目的達成のため、本発明に係る弾球遊技機の遊技盤は、前記ベース部材の略
中央部に形成された中央穴部の周囲に沿って延びて前記ベース部材の後側に固定された固
定部材と、前記中央穴部を介して前方から視認可能な出現位置と、前記出現位置から退い
て前記固定部材と重なる待機位置とに前記固定部材に対し移動可能に設けられた可動装飾
部材と、前記出現位置に移動した状態の前記可動装飾部材の前方もしくは後方に配設され
た透明もしくは半透明の導光板と、前記可動装飾部材の移動方向に沿って延びて前記固定
部材に取り付けられ、前記可動装飾部材を前記移動方向に案内して移動させる案内駆動機
構とを備えている。
【発明の効果】
【０００８】
本発明によれば、可動装飾部材が動く際に導光板を損傷させるのを防止することができ
る。
【図面の簡単な説明】
【０００９】
【図１】ぱちんこ遊技機の斜視図である。
【図２】ぱちんこ遊技機の後面図である。
【図３】遊技盤の正面図である。
【図４】前方飾りおよび発光表示装置を前方から見た斜視図である。
【図５】センター飾りの側断面図である。
【図６】後方飾りを上方から見た斜視図である。
【図７】後方飾りを下方から見た斜視図である。
【図８】可動装飾ユニットおよび後部装飾ユニットを後方から見た斜視図である。
【図９】可動装飾ユニットを後方から見た斜視図である。
【図１０】左仮固定手段の斜視図である。
【図１１】左仮固定手段により仮固定を行った状態を示す斜視図である。
【図１２】前方飾りおよび発光表示装置を前方から見た斜視図である。
【図１３】発光表示装置の側断面図である。
【図１４】前部導光板の正面図である。
【図１５】後部導光板の正面図である。
【図１６】ぱちんこ遊技機の電気的な接続を示すブロック図である。
【図１７】前部導光板において発光表示を行った状態のセンター飾りの正面図である。
【図１８】後部導光板において発光表示を行った状態のセンター飾りの正面図である。
【図１９】前部導光板および後部導光板において発光表示を行った状態のセンター飾りの正面図である。
【発明を実施するための形態】
【００１０】
以下、本発明の好ましい実施形態について図面を参照して説明する。本実施形態に係る
遊技盤を備えた弾球遊技機の代表例として、ぱちんこ遊技機ＰＭの斜視図及び背面図を図
１及び図２に示しており、まず、この図を参照してぱちんこ遊技機ＰＭの全体構成につい
て説明する。
【００１１】
［ぱちんこ遊技機の全体構成］
始めに、図１を参照しながら、ぱちんこ遊技機ＰＭの正面側の基本構造を説明する。ぱ
ちんこ遊技機ＰＭは、図１に示すように、外郭方形枠サイズに構成された縦向きの固定保
持枠をなす外枠１の開口前面に、これに合わせた方形枠サイズに構成されて開閉搭載枠を
なす前枠２が互いの正面左側縁部に配設された上下のヒンジ機構３により横開き開閉およ
び着脱が可能に取り付けられ、正面右側縁部に設けられたダブル錠と称される施錠装置４
を利用して常には外枠１と係合連結された閉鎖状態に保持される。
【００１２】
前枠２には、この前枠２の上部前面域に合わせた方形状のガラス枠５が上下のヒンジ機
構３を利用して横開き開閉および着脱可能に組み付けられ、施錠装置４を利用して常には
前枠２の前面を覆う閉鎖状態に保持される。前枠２には、遊技盤１００が着脱可能にセッ
ト保持され、常には閉鎖保持されるガラス枠５の複層ガラス５ａを通して遊技盤１００の
正面の遊技領域ＰＡを視認可能に臨ませるようになっている。
【００１３】
ガラス枠５の下部には遊技球を貯留する上下の球皿（上球皿６ａ及び下球皿６ｂ）が設
けられ、下球皿６ｂの正面右側には遊技球の発射操作を行う発射ハンドル７が設けられて
いる。ガラス枠５の前面側には、発光ダイオード（ＬＥＤ）やランプ等の電飾装置８や、
遊技の展開状態に応じて効果音を発生させるスピーカ９が設けられている。
【００１４】
続いて、図２を参照しながら、ぱちんこ遊技機ＰＭの背面側の基本構造を説明する。前
枠２の背面側には、中央に前後連通する窓口を有して前枠２よりも幾分小型の矩形枠状に
形成された基枠体をベースとしてなる裏セット盤３０が、上下のヒンジ機構３を介して前
枠２後方に横開き開閉及び着脱が可能に連結されている。この裏セット盤３０には、前面
開放の矩形箱状をなす裏セットカバー３０Ｃが着脱自在に装着されており、常には前枠２
に取り付けられた遊技盤１００の裏面側を覆って配設されている（これにより後述する主
制御装置４１及び副制御装置４２が裏セットカバー３０Ｃにより覆われる）。
【００１５】
裏セット盤３０の各部には、多数個の遊技球を貯留する球貯留タンク３１、球貯留タン
ク３１から右方に緩やかな下り傾斜を有して延びるタンクレール３２、タンクレール３２
の右端部に繋がり下方に延びる球供給通路部材３３、球供給通路部材３３により導かれた
遊技球を払い出す賞球払出ユニット３４、賞球払出ユニット３４から払い出された遊技球
を上球皿６に導くための賞球通路部材３５などが設けられている。
【００１６】
遊技盤１０の背面側には、ぱちんこ遊技機ＰＭの作動を統括的に制御する主制御装置（
主制御基板）４１や、遊技展開に応じた画像表示、効果照明、効果音等の演出全般の制御
を行う副制御装置（副制御基板）４２などが取り付けられている。これに対して、裏セッ
ト盤３０の背面側には、遊技球の発射及び払い出しに関する制御を行う払出制御装置（払
出制御基板）４３や、遊技施設側から受電して各種制御基板や電気・電子部品に電力を供
給する電源基板４４などが取り付けられている。これらの制御基板とぱちんこ遊技機ＰＭ
各部の電気・電子部品とがハーネス（コネクタケーブル）で接続されて、ぱちんこ遊技機
ＰＭが作動可能に構成されている。
【００１７】
ぱちんこ遊技機ＰＭは、外枠１が遊技施設の遊技島（設置枠台）に固定設置され、前枠
２、ガラス枠５等が閉鎖施錠された状態で遊技に供され、上球皿６ａに遊技球を貯留させ
て発射ハンドル７を回動操作することにより遊技が開始される。発射ハンドル７が回動操
作されると、上球皿６ａに貯留された遊技球が、ガラス枠５の背面側に配設される球送り
機構によって１球ずつ発射機構に送り出され、発射機構により遊技領域ＰＡに打ち出され
て、以降パチンコゲームが展開される。
【００１８】
［遊技盤の構成］
次に、本実施形態に係る遊技盤１００について図３〜図１５を参照して説明する。なお
、本実施形態において、図４および図７の各矢印で示す方向をそれぞれ、上下方向、前後
方向、左右方向として説明する。遊技盤１００は、図３に示すように、板状のベース部材
１０１と、ベース部材１０１の前面側に取り付けられたレール部材１０６とを有し、ベー
ス部材１０１におけるレール部材１０６に囲まれた部分に遊技領域ＰＡが形成される。こ
の遊技領域ＰＡには、多数の遊技釘（図示せず）とともに、遊技領域ＰＡの略中央部に配
置されたセンター飾り１２０と、複数の一般入賞装置１１１，１１１，…と、センター飾
り１２０の下方に配置された第１始動入賞装置１１２と、第１始動入賞装置１１２の右方
に配置された第２始動入賞装置１１３と、第２始動入賞装置１１３の下方に配置された大
入賞装置１１５と、第２始動入賞装置１１３の右方に配置された補助遊技始動ゲート１１
８と、遊技領域ＰＡの下端に配置されたアウト口１１９とが設けられている。
【００１９】
ベース部材１０１は、アクリル樹脂等の透明樹脂材料を用いて板状に形成される。ベー
ス部材１０１の略中央部には、センター飾り１２０を取り付けるための中央穴部１０２が
形成される。ベース部材１０１の下端部中央には、アウト口１１９が形成される。
【００２０】
一般入賞装置１１１は、遊技球が落入可能な一般入賞口１１１ａを有し、一般入賞口１
１１ａに落入した遊技球をベース部材１０１の後面側に排出させる。一般入賞装置１１１
と繋がる通路には、一般入賞口１１１ａに落入した遊技球を検出する一般入賞センサ１１
１ｓ（図１６を参照）が設けられている。
【００２１】
第１始動入賞装置１１２は、遊技球が落入可能な第１始動入賞口１１２ａを有し、第１
始動入賞口１１２ａに落入した遊技球をベース部材１０１の後面側に排出させる。第１始
動入賞装置１１２と繋がる通路には、第１始動入賞口１１２ａに落入した遊技球を検出す
る第１始動入賞センサ１１２ｓ（図１６を参照）が設けられている。
【００２２】
第２始動入賞装置１１３は、遊技球が落入可能な第２始動入賞口１１３ａと、第２始動
入賞口１１３ａを開閉可能な開閉部材１１４とを有し、開閉部材１１４が開いた状態の第
２始動入賞口１１３ａに落入した遊技球をベース部材１０１の後面側に排出させる。第２
始動入賞装置１１３と繋がる通路には、第２始動入賞口１１３ａに落入した遊技球を検出
する第２始動入賞センサ１１３ｓ（図１６を参照）が設けられている。
【００２３】
大入賞装置１１５は、遊技球が落入可能な大入賞口１１５ａと、大入賞口１１５ａを開
閉可能な開閉シャッター１１６とを有し、開閉シャッター１１６が開いた状態の大入賞口
１１５ａに落入した遊技球をベース部材１０１の後面側に排出させる。大入賞装置１１５
と繋がる通路には、大入賞口１１５ａに落入した遊技球を検出する大入賞センサ１１５ｓ
（図１６を参照）が設けられている。
【００２４】
補助遊技始動ゲート１１８は、補助遊技始動ゲート１１８の開口部に落入した遊技球を
補助遊技始動ゲート１１８の下方へ通過させる。補助遊技始動ゲート１１８には、補助遊
技始動ゲート１１８を通過した遊技球を検出するゲートセンサ１１８ｓ（図１６を参照）
が設けられている。
【００２５】
センター飾り１２０は、図３〜図６に示すように、ベース部材１０１の前面側に配置さ
れた前方飾り１２１と、ベース部材１０１の後面側に配置された後方飾り１３１と、後方
飾り１３１に設けられた左右の仮固定手段１８１Ｌ，１８１Ｒと、前方飾り１２１に取り
付けられた発光表示装置２００とを有して構成される。前方飾り１２１は、図４および図
１２に示すように、所定の装飾が施された装飾部１２２を主体に構成され、ベース部材１
０１の中央穴部１０２に取り付けられて前面側の遊技領域ＰＡに配置される。前方飾り１
２１の中央部分には、開口部１２３が形成されている。前方飾り１２１の左下部には、前
方飾り１２１の左外周部から内下方に延びるようにワープ通路１２５が形成されており、
前方飾り１２１の下部に形成されたステージ部１２６に遊技球を導くようになっている。
ステージ部１２６は、左右に延びるように形成されており、ワープ通路１２５を通過して
ステージ部１２６に達した遊技球が左右に転動したのち、前方に落下可能に構成されてい
る。ステージ部１２６の中央後部には、ステージ部１２６の中央部で略停止した遊技球を
第１始動入賞装置１１２の第１始動入賞口１１２ａに導くガイド穴１２７が形成されてい
る。
【００２６】
後方飾り１３１は、図６および図７に示すように、固定部材１４１と、可動装飾ユニッ
ト１５１と、後部装飾ユニット１７１とを有して構成される。固定部材１４１は、樹脂材
料を用いて中央部分に開口部１４２を有する容器形状に形成される。固定部材１４１は、
ベース部材１０１の後面側を覆うようにベース部材１０１の中央穴部１０２の周囲に沿っ
て延びて、ネジ等の固定手段によりベース部材１０１の後面に取り付け固定される。固定
部材１４１の上部内側（上部前側）には、可動装飾ユニット１５１および後部装飾ユニッ
ト１７１が取り付けられるユニット取付部１４３が形成されている。ユニット取付部１４
３に取り付けられた可動装飾ユニット１５１および後部装飾ユニット１７１は、ベース部
材１０１と固定部材１４１との間に配置されることになる。固定部材１４１の下部内側に
は、一般入賞口１１１ａ、第１始動入賞口１１２ａ、第２始動入賞口１１３ａ、大入賞口
１１５ａに落入した遊技球を流下させる球通路部１４４が形成されている。固定部材１４
１の後部に、演出表示装置３００（図３を参照）が取り付けられ、センター飾り１２０が
取り付けられたベース部材１０１の中央穴部１０２の開口部分、すなわち、前方飾り１２
１の開口部１２３および固定部材１４１の開口部１４２を通じて、演出表示装置３００の
画面を前方から視認可能に構成される。
【００２７】
可動装飾ユニット１５１は、図６および図９に示すように、支持ベース１５２と、左側
可動装飾部材１５５Ｌと、右側可動装飾部材１５５Ｒと、左アーム部材１５６Ｌと、右ア
ーム部材１５６Ｒと、左側案内駆動機構１６１Ｌと、右側案内駆動機構１６１Ｒとを有し
て構成される。支持ベース１５２は、樹脂材料を用いて門型に延びる板状に形成され、ネ
ジ等の固定手段により固定部材１４１のユニット取付部１４３に取り付け固定される。固
定部材１４１の上部内側（上部前側）において左右方向に延びる支持ベース１５２の上辺
部に、左側案内駆動機構１６１Ｌの左側案内駆動部１６８Ｌと、右側案内駆動機構１６１
Ｒの右側案内駆動部１６８Ｒが設けられる。
【００２８】
支持ベース１５２の左辺部上側に、左アーム部材１５６Ｌの連結基部１５７Ｌが揺動自
在に枢結される左連結穴１５３Ｌが形成される。支持ベース１５２の左辺部下側に、下方
に湾曲した円弧状の左ガイド穴１５４Ｌが形成され、左アーム部材１５６Ｌのガイド穴係
合部１５８Ｌがスライド移動自在に係合するようになっている。支持ベース１５２の右辺
部下側に、右アーム部材１５６Ｒの連結基部１５７Ｒが揺動自在に枢結される右連結穴１
５３Ｒが形成される。支持ベース１５２の右辺部上側に、上方に湾曲した円弧状の右ガイ
ド穴１５４Ｒが形成され、右アーム部材１５６Ｒのガイド穴係合部１５８Ｒがスライド移
動自在に係合するようになっている。
【００２９】
左側可動装飾部材１５５Ｌは、樹脂材料を用いて、前面側に所定の（例えば、文字形状
の）装飾が施された板状に形成される。左側可動装飾部材１５５Ｌは、左側案内駆動機構
１６１Ｌによって、前方飾り１２１の開口部１２３、すなわち、ベース部材１０１の中央
穴部１０２を介して前方から視認可能な出現位置（図３の二点鎖線を参照）と、当該出現
位置から左方に退いて固定部材１４１とベース部材１０１との間に重なる待機位置とに固
定部材１４１に対し左右方向に移動可能に設けられる。
【００３０】
右側可動装飾部材１５５Ｒは、樹脂材料を用いて、前面側に所定の（例えば、文字形状
の）装飾が施された板状に形成される。右側可動装飾部材１５５Ｒは、右側案内駆動機構
１６１Ｒによって、前方飾り１２１の開口部１２３、すなわち、ベース部材１０１の中央
穴部１０２を介して前方から視認可能な出現位置（図３の二点鎖線を参照）と、当該出現
位置から右方に退いて固定部材１４１とベース部材１０１との間に重なる待機位置とに固
定部材１４１に対し左右方向に移動可能に設けられる。
【００３１】
なお、左側可動装飾部材１５５Ｌおよび右側可動装飾部材１５５Ｒがそれぞれ出現位置
に移動した状態では、左側可動装飾部材１５５Ｌおよび右側可動装飾部材１５５Ｒが固定
部材１４１の開口部１４２を閉じるようにして、演出表示装置３００の画面が左側可動装
飾部材１５５Ｌおよび右側可動装飾部材１５５Ｒによって覆われるようになっている。こ
のとき例えば、左側案内駆動機構１６１Ｌの前面側に施された装飾と右側可動装飾部材１
５５Ｒの前面側に施された装飾とが組み合わされて、左側可動装飾部材１５５Ｌおよび右
側可動装飾部材１５５Ｒの前面側に一体的な装飾（例えば、メッセージ性のある文字形状
の装飾）が形成されるようになっている。一方、左側可動装飾部材１５５Ｌおよび右側可
動装飾部材１５５Ｒがそれぞれ待機位置に移動した状態では、前方飾り１２１の開口部１
２３および固定部材１４１の開口部１４２を通じて、演出表示装置３００の画面を前方か
ら視認できるようになっている。
【００３２】
左アーム部材１５６Ｌは、樹脂材料を用いて棒状に形成される。左アーム部材１５６Ｌ
の基端部には、支持ベース１５２の左連結穴１５３Ｌと枢結される連結基部１５７Ｌが形
成されており、この連結基部１５７Ｌを中心に左アーム部材１５６Ｌが揺動可能に構成さ
れる。左アーム部材１５６Ｌの中間部分には、支持ベース１５２の左ガイド穴１５４Ｌに
スライド移動自在に係合するガイド穴係合部１５８Ｌが形成されている。左アーム部材１
５６Ｌの先端部は、左側可動装飾部材１５５Ｌの後面側に形成された凹部（図示せず）に
係合し、左側可動装飾部材１５５Ｌが左右方向に移動するのに応じて左右方向に揺動する
ようになっている。なお、左アーム部材１５６Ｌの連結基部１５７Ｌに、ねじりコイルバ
ネ（図示せず）が取り付けられており、左アーム部材１５６Ｌが右方に揺動する方向、す
なわち、左側可動装飾部材１５５Ｌが右方（出現位置）に移動する方向に付勢力が加えら
れるようになっている。
【００３３】
右アーム部材１５６Ｒは、樹脂材料を用いて棒状に形成される。右アーム部材１５６Ｒ
の基端部には、支持ベース１５２の右連結穴１５３Ｒと枢結される連結基部１５７Ｒが形
成されており、この連結基部１５７Ｒを中心に右アーム部材１５６Ｒが揺動可能に構成さ
れる。右アーム部材１５６Ｒの中間部分には、支持ベース１５２の右ガイド穴１５４Ｒに
スライド移動自在に係合するガイド穴係合部１５８Ｒが形成されている。右アーム部材１
５６Ｒの先端部は、右側可動装飾部材１５５Ｒの後面側に形成された凹部（図示せず）に
係合し、右側可動装飾部材１５５Ｒが左右方向に移動するのに応じて左右方向に揺動する
ようになっている。なお、右アーム部材１５６Ｒの連結基部１５７Ｒに、ねじりコイルバ
ネ（図示せず）が取り付けられており、右アーム部材１５６Ｒが左方に揺動する方向、す
なわち、右側可動装飾部材１５５Ｒが左方（出現位置）に移動する方向に付勢力が加えら
れるようになっている。
【００３４】
左側案内駆動機構１６１Ｌは、左側駆動体１６２Ｌと、左側駆動モータ１６７Ｌと、左
側案内駆動部１６８Ｌとを有して構成される。左側駆動体１６２Ｌは、樹脂材料を用いて
板状に形成され、左側可動装飾部材１５５Ｌの後面側に連結される。左側駆動体１６２Ｌ
の上部は、左側案内駆動部１６８Ｌに左右方向に平行移動可能に連結される。左側駆動モ
ータ１６７Ｌは、支持ベース１５２の上辺部左側に取り付けられる。左側駆動モータ１６
７Ｌの回転軸は、左側案内駆動部１６８Ｌの歯車機構に連結される。左側案内駆動部１６
８Ｌは、詳細な図示を省略するが、左側駆動体１６２Ｌと連結されるリニアガイド、左側
駆動モータ１６７Ｌの回転軸と連結される歯車機構、リニアガイドと歯車機構とに繋がる
回転ベルト機構等から構成され、支持ベース１５２の上辺部左側に内蔵される。左側案内
駆動部１６８Ｌは、左側駆動モータ１６７Ｌからの回転駆動力を受けて、左側駆動体１６
２Ｌを左側案内駆動部１６８Ｌの下方において左右方向に平行移動させる。これにより、
左側駆動体１６２Ｌと連結された左側可動装飾部材１５５Ｌは、出現位置と待機位置との
間で左右方向に平行移動可能となる。
【００３５】
右側案内駆動機構１６１Ｒは、右側駆動体１６２Ｒと、右側駆動モータ１６７Ｒと、右
側案内駆動部１６８Ｒとを有して構成される。右側駆動体１６２Ｒは、樹脂材料を用いて
板状に形成され、右側可動装飾部材１５５Ｒの後面側に連結される。右側駆動体１６２Ｒ
の上部は、右側案内駆動部１６８Ｒに左右方向に平行移動可能に連結される。右側駆動モ
ータ１６７Ｒは、支持ベース１５２の上辺部右側に取り付けられる。右側駆動モータ１６
７Ｒの回転軸は、右側案内駆動部１６８Ｒの歯車機構に連結される。右側案内駆動部１６
８Ｒは、詳細な図示を省略するが、右側駆動体１６２Ｒと連結されるリニアガイド、右側
駆動モータ１６７Ｒの回転軸と連結される歯車機構、リニアガイドと歯車機構とに繋がる
回転ベルト機構等から構成され、支持ベース１５２の上辺部右側に内蔵される。右側案内
駆動部１６８Ｒは、右側駆動モータ１６７Ｒからの回転駆動力を受けて、右側駆動体１６
２Ｒを右側案内駆動部１６８Ｒの下方において左右方向に平行移動させる。これにより、
右側駆動体１６２Ｒと連結された右側可動装飾部材１５５Ｒは、出現位置と待機位置との
間で左右方向に平行移動可能となる。
【００３６】
後部装飾ユニット１７１は、図７および図８に示すように、上部支持ベース１７２と、
下部支持ベース１７３と、左側棒状部材１７５Ｌと、右側棒状部材１７５Ｒと、左側後部
駆動機構１７６Ｌと、右側後部駆動機構１７６Ｒとを有して構成される。上部支持ベース
１７２は、樹脂材料を用いて左右方向に延びる板状に形成され、可動装飾ユニット１５１
の支持ベース１５２の後面側に重なるように、ネジ等の固定手段により固定部材１４１の
ユニット取付部１４３に取り付け固定される。固定部材１４１の上部内側（上部前側）に
おいて左右方向に延びる上部支持ベース１７２に、左側後部駆動機構１７６Ｌの左側駆動
部１７８Ｌと、右側後部駆動機構１７６Ｒの右側駆動部１７８Ｒが設けられる。下部支持
ベース１７３は、樹脂材料を用いて左右方向に延びる板状に形成され、ネジ等の固定手段
により固定部材１４１の開口部１４２の下方部分に取り付け固定される。
【００３７】
左側棒状部材１７５Ｌは、樹脂材料を用いて、前面側に所定の装飾が施された上下に延
びる棒状に形成される。左側棒状部材１７５Ｌの上部は、左側後部駆動機構１７６Ｌの左
側駆動部１７８Ｌに左右方向に平行移動可能に連結される。一方、左側棒状部材１７５Ｌ
の下部は、下部支持ベース１７３の左側に左右方向にスライド移動自在に連結される。
【００３８】
右側棒状部材１７５Ｒは、樹脂材料を用いて、前面側に所定の装飾が施された上下に延
びる棒状に形成される。右側棒状部材１７５Ｒの上部は、右側後部駆動機構１７６Ｒの右
側駆動部１７８Ｒに左右方向に平行移動可能に連結される。一方、右側棒状部材１７５Ｒ
の下部は、下部支持ベース１７３の右側に左右方向にスライド移動自在に連結される。
【００３９】
左側後部駆動機構１７６Ｌは、左側駆動モータ１７７Ｌと、左側駆動部１７８Ｌとを有
して構成される。左側駆動モータ１７７Ｌは、上部支持ベース１７２の左側に取り付けら
れる。左側駆動モータ１７７Ｌの回転軸は、左側駆動部１７８Ｌの歯車機構に連結される
。左側駆動部１７８Ｌは、詳細な図示を省略するが、左側棒状部材１７５Ｌと連結される
リニアガイド、左側駆動モータ１７７Ｌの回転軸と連結される歯車機構、リニアガイドと
歯車機構とに繋がる回転ベルト機構等から構成され、上部支持ベース１７２の左側に内蔵
される。左側駆動部１７８Ｌは、左側駆動モータ１７７Ｌからの回転駆動力を受けて、左
側棒状部材１７５Ｌを左側駆動部１７８Ｌの下方において左右方向に平行移動させる。こ
れにより、左側棒状部材１７５Ｌは、固定部材１４１の開口部１４２の中央に重なる中央
位置と、固定部材１４１の開口部１４２の左方に退いて固定部材１４１と可動装飾ユニッ
ト１５１との間に重なる退避位置との間で左右方向に平行移動可能となる。
【００４０】
右側後部駆動機構１７６Ｒは、右側駆動モータ１７７Ｒと、右側駆動部１７８Ｒとを有
して構成される。右側駆動モータ１７７Ｒは、上部支持ベース１７２の右側に取り付けら
れる。右側駆動モータ１７７Ｒの回転軸は、右側駆動部１７８Ｒの歯車機構に連結される
。右側駆動部１７８Ｒは、詳細な図示を省略するが、右側棒状部材１７５Ｒと連結される
リニアガイド、右側駆動モータ１７７Ｒの回転軸と連結される歯車機構、リニアガイドと
歯車機構とに繋がる回転ベルト機構等から構成され、上部支持ベース１７２の右側に内蔵
される。右側駆動部１７８Ｒは、右側駆動モータ１７７Ｒからの回転駆動力を受けて、右
側棒状部材１７５Ｒを右側駆動部１７８Ｒの下方において左右方向に平行移動させる。こ
れにより、右側棒状部材１７５Ｒは、固定部材１４１の開口部１４２の中央に重なる中央
位置と、固定部材１４１の開口部１４２の右方に退いて固定部材１４１と可動装飾ユニッ
ト１５１との間に重なる退避位置との間で左右方向に平行移動可能となる。
【００４１】
左仮固定手段１８１Ｌは、図１０および図１１に示すように、左仮固定部材１８２Ｌと
、固定部材１４１に形成された第１左挿通穴部１９３Ｌと、可動装飾ユニット１５１にお
ける支持ベース１５２に形成された第２左挿通穴部１９４Ｌ（図９を参照）と、可動装飾
ユニット１５１における左アーム部材１５６Ｌに形成された左係合穴部１９５Ｌ（図６を
参照）とを有して構成される。左仮固定部材１８２Ｌは、樹脂材料を用いて棒状に形成さ
れる。左仮固定部材１８２Ｌの胴部１８３Ｌは、固定部材１４１の第１左挿通穴部１９３
Ｌおよび支持ベース１５２の第２左挿通穴部１９４Ｌに挿通されて、左アーム部材１５６
Ｌの左係合穴部１９５Ｌまで達する長さに形成される。左仮固定部材１８２Ｌの先端部に
は、左アーム部材１５６Ｌの左係合穴部１９５Ｌに係合可能な先端係合部１８４Ｌが形成
される。先端係合部１８４Ｌは、左アーム部材１５６Ｌの左係合穴部１９５Ｌに対して係
脱可能に係合するように、丸みを帯びた形状に形成される。
【００４２】
左仮固定部材１８２Ｌの基端部には、作業者が把持しやすい板状の把持部１８５Ｌが形
成される。把持部１８５Ｌの基端側には、突起状の係止部１８６Ｌが形成される。把持部
１８５Ｌの先端側には、胴部１８３Ｌに対して傾斜するように延びるロック爪部１８７Ｌ
が形成される。ロック爪部１８７Ｌは、左仮固定部材１８２Ｌの胴部１８３Ｌが固定部材
１４１の第１左挿通穴部１９３Ｌおよび支持ベース１５２の第２左挿通穴部１９４Ｌに挿
通される途中において、固定部材１４１の第１左挿通穴部１９３Ｌの縁部に当接して弾性
変形するようになっている。そして、ロック爪部１８７Ｌは、左仮固定部材１８２Ｌの先
端係合部１８４Ｌが左アーム部材１５６Ｌの左係合穴部１９５Ｌと係合すると、弾性変形
した状態から元の形状に戻って固定部材１４１の第１左挿通穴部１９３Ｌの縁部に係止す
るようになっている。ロック爪部１８７Ｌの基端側には、凹凸状の押さえ部１８８が形成
されており、作業者が押さえ部１８８を押圧してロック爪部１８７Ｌを弾性変形させやす
いようになっている。
【００４３】
第１左挿通穴部１９３Ｌは、固定部材１４１におけるユニット取付部１４３の左側に、
前後方向に貫通して形成される。第２左挿通穴部１９４Ｌは、図９に示すように、可動装
飾ユニット１５１における支持ベース１５２の左辺部に、第１左挿通穴部１９３Ｌと重な
るように前後方向に貫通して形成される。左係合穴部１９５Ｌは、図６に示すように、可
動装飾ユニット１５１における左アーム部材１５６Ｌの中間部に、左仮固定部材１８２Ｌ
の先端係合部１８４Ｌが係脱可能な穴状に形成される。左係合穴部１９５Ｌは、図６に示
すように、左アーム部材１５６Ｌが最も左側に揺動した状態、すなわち、左側可動装飾部
材１５５Ｌが待機位置に移動した状態で、第２左挿通穴部１９４Ｌと重なるように配置さ
れる。
【００４４】
また、図１０に示すように、固定部材１４１の後面側における第１左挿通穴部１９３Ｌ
の近傍に、左仮固定部材１８２Ｌを着脱可能に保持することが可能な第１左保持部１９１
Ｌおよび第２左保持部１９２Ｌが形成される。第１左保持部１９１Ｌは、左仮固定部材１
８２Ｌの先端側（先端係合部１８４Ｌ）を着脱可能に保持する。第２左保持部１９２Ｌは
、左仮固定部材１８２Ｌの係止部１８６Ｌに爪部が係止する状態で、左仮固定部材１８２
Ｌの基端側（把持部１８５Ｌ）を着脱可能に保持する。第１左保持部１９１Ｌおよび第２
左保持部１９２Ｌは、固定部材１４１の後面側に形成されることで、左側可動装飾部材１
５５Ｌが移動可能な状態で左仮固定部材１８２Ｌを着脱可能に保持することができる。
【００４５】
右固定手段１８１Ｒは、図６および図８に示すように、右仮固定部材１８２Ｒと、固定
部材１４１に形成された第１右挿通穴部（図示せず）と、可動装飾ユニット１５１におけ
る支持ベース１５２に形成された第２右挿通穴部１９４Ｒと、可動装飾ユニット１５１に
おける右アーム部材１５６Ｒに形成された右係合穴部１９５Ｒとを有して構成される。右
仮固定部材１８２Ｒは、左仮固定部材１８２Ｌと同様の形状であり、詳細な図示と説明を
省略する。
【００４６】
第１右挿通穴部（図示せず）は、固定部材１４１におけるユニット取付部１４３の右側
に、前後方向に貫通して形成される。第１右挿通穴部は、第１左挿通穴部１９３Ｌと同様
の形状であり、図示と説明を省略する。第２右挿通穴部１９４Ｒは、図９に示すように、
可動装飾ユニット１５１における支持ベース１５２の右辺部に、第１右挿通穴部と重なる
ように前後方向に貫通して形成される。右係合穴部１９５Ｒは、図６に示すように、可動
装飾ユニット１５１における右アーム部材１５６Ｒの中間部に、右仮固定部材１８２Ｒの
先端係合部が係脱可能な穴状に形成される。右係合穴部１９５Ｒは、図６に示すように、
右アーム部材１５６Ｒが最も右側に揺動した状態、すなわち、右側可動装飾部材１５５Ｒ
が待機位置に移動した状態で、第２右挿通穴部１９４Ｒと重なるように配置される。
【００４７】
また、固定部材１４１の後面側における第１右挿通穴部（図示せず）の近傍に、右仮固
定部材１８２Ｒを着脱可能に保持することが可能な第１右保持部（図示せず）および第２
右保持部（図示せず）が形成される。第１右保持部および第２右保持部は、第１左保持部
１９１Ｌおよび第２左保持部１９２Ｌと同様の構成であり、図示と説明を省略する。
【００４８】
発光表示装置２００は、図１２および図１３に示すように、前部導光板２１０と、後部
導光板２１５と、上部導光板保持部２２０と、左下部導光板保持部２２１と、右下部導光
板保持部２２２と、ランプ基板２３０とを有して構成される。発光表示装置２００は、前
方飾り１２１の開口部１２３を塞いで前方飾り１２１の内周側に取り付けられ、図５に示
すように、出現位置に移動した状態の左側可動装飾部材１５５Ｌおよび右側可動装飾部材
１５５Ｒの前方近傍に配置されるようになっている。
【００４９】
前部導光板２１０は、図１２および図１３に示すように、透明樹脂材料を用いて板状に
形成され、後部導光板２１５の前方に略平行に配置される。前部導光板２１０の前面もし
くは後面には、図１４に示すように、左側に位置する文字形状（例えば、「止まれ」の文
字形状）の第１前部模様２１１と、中央に位置する図柄形状（例えば、顔の一部を示す図
柄形状）の第２前部模様２１２と、右側に位置する文字形状（例えば、「止まれ」の文字
形状）の第３前部模様２１３とが形成される。第１〜第３前部模様２１１〜２１３は、前
部導光板２１０の前面もしくは後面に微細な凹凸を有して形成され、通常のとき（ランプ
基板２３０の第１〜第３前部ＬＥＤランプ２３１〜２３３が発光しないとき）には視認さ
れにくく、ランプ基板２３０の第１〜第３前部ＬＥＤランプ２３１〜２３３が発光したと
きには拡散発光して、前部導光板２１０において視認可能に表示されるようになっている
。
【００５０】
後部導光板２１５は、図１２および図１３に示すように、透明樹脂材料を用いて板状に
形成され、前部導光板２１０の後方に略平行に配置される。後部導光板２１５の前面もし
くは後面には、図１５に示すように、全面的に拡がる図柄形状（例えば、太陽を示す図柄
形状）の後部模様２１６が形成される。後部模様２１６は、後部導光板２１５の前面もし
くは後面に微細な凹凸を有して形成され、通常のとき（ランプ基板２３０の第１〜第３後
部ＬＥＤランプ２３６〜２３８が発光しないとき）には視認されにくく、ランプ基板２３
０の第１〜第３後部ＬＥＤランプ２３６〜２３８が発光したときには拡散発光して、後部
導光板２１５において視認可能に表示されるようになっている。
【００５１】
上部導光板保持部２２０は、前部導光板２１０および後部導光板２１５の上部を略平行
に保持する。上部導光板保持部２２０の内部には、図１３に示すようにランプ基板２３０
が収容される。上部導光板保持部２２０の上部右側には、第１上部取付片２２０ａが形成
されており、ネジ等の固定手段によって前方飾り１２１の後面側に形成された上部取付ボ
ス１２４ａに取り付け固定されるようになっている。上部導光板保持部２２０の上部左側
には、第２上部取付片２２０ｂが形成されており、ネジ等の固定手段によって前方飾り１
２１の上部に取り付け固定されるようになっている。
【００５２】
左下部導光板保持部２２１は、前部導光板２１０および後部導光板２１５の左下部を略
平行に保持する。左下部導光板保持部２２１の下部には、左下部取付片２２１ａが形成さ
れており、ネジ等の固定手段によって前方飾り１２１の後面側に形成された左下部取付ボ
ス１２４ｂに取り付け固定されるようになっている。右下部導光板保持部２２２は、前部
導光板２１０および後部導光板２１５の右下部を略平行に保持する。右下部導光板保持部
２２２の右側には、右下部取付片２２２ａが形成されており、ネジ等の固定手段によって
前方飾り１２１の後面側に形成された右下部取付ボス１２４ｃに取り付け固定されるよう
になっている。
【００５３】
ランプ基板２３０は、前部導光板２１０の上端部に対向して配置された第１〜第３前部
ＬＥＤランプ２３１〜２３３と、後部導光板２１５の上端部に対向して配置された第１〜
第３後部ＬＥＤランプ２３６〜２３８とを有して構成される。第１〜第３前部ＬＥＤラン
プ２３１〜２３３および第１〜第３後部ＬＥＤランプ２３６〜２３８には、白色ＬＥＤラ
ンプもしくは単色のＬＥＤランプが仕様に応じて用いられる。
【００５４】
第１前部ＬＥＤランプ２３１で発光した光は、上方から前部導光板２１０の左側部分に
入射して、第１前部模様２１１の凹凸部分で拡散し、第１前部模様２１１を発光表示させ
る。第２前部ＬＥＤランプ２３２で発光した光は、上方から前部導光板２１０の中央部分
に入射して、第２前部模様２１２の凹凸部分で拡散し、第２前部模様２１２を発光表示さ
せる。第３前部ＬＥＤランプ２３２で発光した光は、上方から前部導光板２１０の右側部
分に入射して、第３前部模様２１３の凹凸部分で拡散し、第３前部模様２１３を発光表示
させる。これにより、第１〜第３前部ＬＥＤランプ２３１〜２３３の全てを発光させれば
、第１〜第３前部模様２１１〜２１３の全てを発光表示させることができる。また、第１
〜第３前部ＬＥＤランプ２３１〜２３３のいずれかを個別に発光させれば、第１〜第３前
部模様２１１〜２１３のいずれかを個別に発光表示させることができる。
【００５５】
第１後部ＬＥＤランプ２３６で発光した光は、上方から後部導光板２１５の左側部分に
入射して、後部模様２１６の左側の凹凸部分で拡散し、後部模様２１６の左側を発光表示
させる。第２後部ＬＥＤランプ２３７で発光した光は、上方から後部導光板２１５の中央
部分に入射して、後部模様２１６の中央部の凹凸部分で拡散し、後部模様２１６の中央部
を発光表示させる。第３後部ＬＥＤランプ２３８で発光した光は、上方から後部導光板２
１５の右側部分に入射して、後部模様２１６の右側の凹凸部分で拡散し、後部模様２１６
の右側を発光表示させる。これにより、第１〜第３後部ＬＥＤランプ２３６〜２３８の全
てを発光させれば、後部模様２１６を（全体的に）発光表示させることができる。また、
第１〜第３後部ＬＥＤランプ２３６〜２３８のいずれかを個別に発光させれば、後部模様
２１６を部分的に発光表示させることができる。
【００５６】
以上のように構成される遊技盤１００において、遊技盤１００の輸送等を行う際、左仮
固定手段１８１Ｌにより可動装飾ユニット１５１の左側可動装飾部材１５５Ｌを固定部材
１４１に対し待機位置で一時的に固定するとともに、右仮固定手段１８１Ｒにより可動装
飾ユニット１５１の右側可動装飾部材１５５Ｒを固定部材１４１に対し待機位置で一時的
に固定する。これにより、輸送等の際に、左側可動装飾部材１５５Ｌおよび右側可動装飾
部材１５５Ｒが動いて発光表示装置２００の後部導光板２１５を損傷させるのを防止する
ことができる。
【００５７】
左仮固定手段１８１Ｌを用いて、可動装飾ユニット１５１の左側可動装飾部材１５５Ｌ
を固定部材１４１に対し待機位置で一時的に固定するには、まず、第１左保持部１９１Ｌ
および第２左保持部１９２Ｌに保持された左仮固定部材１８２Ｌを、第１左保持部１９１
Ｌおよび第２左保持部１９２Ｌから離脱させる。次に、左仮固定部材１８２Ｌの把持部１
８５Ｌを把持して、左仮固定部材１８２Ｌの胴部１８３Ｌを後方から固定部材１４１の第
１左挿通穴部１９３Ｌおよび支持ベース１５２の第２左挿通穴部１９４Ｌに挿通させる。
左仮固定部材１８２Ｌの胴部１８３Ｌが固定部材１４１の第１左挿通穴部１９３Ｌおよび
支持ベース１５２の第２左挿通穴部１９４Ｌに挿通される途中において、左仮固定部材１
８２Ｌのロック爪部１８７Ｌが固定部材１４１の第１左挿通穴部１９３Ｌの縁部に当接し
て弾性変形する。そして、左仮固定部材１８２Ｌの先端係合部１８４Ｌが左アーム部材１
５６Ｌの左係合穴部１９５Ｌと係合すると、左仮固定部材１８２Ｌのロック爪部１８７Ｌ
が弾性変形した状態から元の形状に戻って固定部材１４１の第１左挿通穴部１９３Ｌの縁
部に係止する。
【００５８】
これにより、固定部材１４１の第１左挿通穴部１９３Ｌおよび支持ベース１５２の第２
左挿通穴部１９４Ｌに挿通されて、左アーム部材１５６Ｌの左係合穴部１９５Ｌと係合し
た左仮固定部材１８２Ｌを介して、左側可動装飾部材１５５Ｌを固定部材１４１に対し一
時的に固定することができる。またこのとき、左仮固定部材１８２Ｌのロック爪部１８７
Ｌによって、左仮固定部材１８２Ｌが固定部材１４１の第１左挿通穴部１９３Ｌおよび支
持ベース１５２の第２左挿通穴部１９４Ｌに挿通された状態が保持される。
【００５９】
遊技盤１００を使用する際、左仮固定部材１８２Ｌの押さえ部１８８を押圧してロック
爪部１８７Ｌを弾性変形させ、左仮固定部材１８２Ｌのロック爪部１８７Ｌを固定部材１
４１の第１左挿通穴部１９３Ｌの内方に位置させる。この状態で、左仮固定部材１８２Ｌ
の把持部１８５Ｌを把持して、左仮固定部材１８２Ｌを後方に引き抜く。これにより、左
仮固定部材１８２Ｌの先端係合部１８４Ｌが左アーム部材１５６Ｌの左係合穴部１９５Ｌ
から離脱し、左仮固定部材１８２Ｌの胴部１８３Ｌが支持ベース１５２の第２左挿通穴部
１９４Ｌおよび固定部材１４１の第１左挿通穴部１９３Ｌを通って後方に引き抜かれる。
そして、引き抜いた左仮固定部材１８２Ｌを第１左保持部１９１Ｌおよび第２左保持部１
９２Ｌに装着する。これにより、左仮固定部材１８２Ｌは、左側可動装飾部材１５５Ｌが
移動可能な状態で、第１左保持部１９１Ｌおよび第２左保持部１９２Ｌに着脱可能に保持
される。
【００６０】
一方、右仮固定手段１８１Ｒを用いて、可動装飾ユニット１５１の右側可動装飾部材１
５５Ｒを固定部材１４１に対し待機位置で一時的に固定するには、まず、第１右保持部（
図示せず）および第２右保持部（図示せず）に保持された右仮固定部材１８２Ｒを、第１
右保持部および第２右保持部から離脱させる。次に、左仮固定部材１８２Ｌと同様にして
、右仮固定部材１８２Ｒの胴部を後方から固定部材１４１の第１右挿通穴部（図示せず）
および支持ベース１５２の第２右挿通穴部１９４Ｒに挿通させる。
【００６１】
これにより、左仮固定部材１８２Ｌと同様に、固定部材１４１の第１右挿通穴部（図示
せず）および支持ベース１５２の第２右挿通穴部１９４Ｒに挿通されて、右アーム部材１
５６Ｒの右係合穴部１９５Ｒと係合した右仮固定部材１８２Ｒを介して、右側可動装飾部
材１５５Ｒを固定部材１４１に対し一時的に固定することができる。またこのとき、右仮
固定部材１８２Ｒのロック爪部によって、右仮固定部材１８２Ｒが固定部材１４１の第１
右挿通穴部および支持ベース１５２の第２右挿通穴部１９４Ｒに挿通された状態が保持さ
れる。
【００６２】
遊技盤１００を使用する際、左仮固定部材１８２Ｌと同様にして、右仮固定部材１８２
Ｒを後方に引き抜く。そして、引き抜いた右仮固定部材１８２Ｒを第１右保持部（図示せ
ず）および第２右保持部（図示せず）に装着する。これにより、右仮固定部材１８２Ｒは
、左仮固定部材１８２Ｌと同様に、右側可動装飾部材１５５Ｒが移動可能な状態で、第１
右保持部および第２右保持部に着脱可能に保持される。
【００６３】
［ぱちんこ遊技機の電気的な構成］
次に、図１６のブロック図を参照しながら、本実施形態に係るぱちんこ遊技機ＰＭの電
気的な概略構成を説明する。本実施形態に係るぱちんこ遊技機ＰＭは、遊技の進行を制御
する主制御装置４１と、主制御装置４１からの情報（信号、コマンド等）に基づいて遊技
球の払出を制御する払出制御装置４３と、主制御装置４１からの情報（信号、コマンド等
）に基づいて、演出に関する制御を行う副制御装置４２とを有して構成される。
【００６４】
主制御装置４１は、一般入賞センサ１１１ｓ、第１始動入賞センサ１１２ｓ、第２始動
入賞センサ１１３ｓ、大入賞センサ１１５ｓ、ゲートセンサ１１８ｓ、アウト球センサ１
１９ｓ等と電気的に接続される。また、主制御装置４１は、払出制御装置４３と電気的に
接続され、双方向通信が可能となるように構成されている。また、主制御装置４１は、副
制御装置４２と電気的に接続され、主制御装置４１から副制御装置４２への一方向通信が
可能となるように構成されている。
【００６５】
払出制御装置４３は、賞球払出ユニット３４と電気的に接続される。副制御装置４２は
、スピーカ９、演出表示装置３００、可動装飾ユニット１５１、後部装飾ユニット１７１
、発光表示装置２００等と電気的に接続される。副制御装置４２は、不図示のサブメイン
制御部とサブサブ制御部とを有し、サブメイン制御部において演出態様の決定制御が行わ
れ、サブサブ制御部においてサブメイン制御部で決定された演出態様に基づく各種装置の
制御が行われるようになっている。
【００６６】
例えば、発光表示装置２００のランプ基板２３０は、副制御装置４２から送信された発
光制御信号に応じて、第１〜第３前部ＬＥＤランプ２３１〜２３３と、第１〜第３後部Ｌ
ＥＤランプ２３６〜２３８の発光制御を行う。演出表示装置３００で装飾図柄の変動表示
を行う演出態様において、ランプ基板２３０が第１前部ＬＥＤランプ２３１および第３前
部ＬＥＤランプ２３３を発光させるように制御を行うと、図１７に示すように、演出表示
装置３００の画面に表示される左側の装飾図柄Ｃ１に重ねて前部導光板２１０の第１前部
模様２１１（例えば、「止まれ」の文字形状からなる模様）を発光表示させるととともに
、右側の装飾図柄Ｃ３に重ねて前部導光板２１０の第３前部模様２１３（例えば、「止ま
れ」の文字形状からなる模様）を発光表示させることができる。なおこのとき、第１前部
ＬＥＤランプ２３１で発光した光は、上方から前部導光板２１０の左側部分に入射して、
第１前部模様２１１の凹凸部分で拡散し、第１前部模様２１１を発光表示させる。第３前
部ＬＥＤランプ２３２で発光した光は、上方から前部導光板２１０の右側部分に入射して
、第３前部模様２１３の凹凸部分で拡散し、第３前部模様２１３を発光表示させる。
【００６７】
また、いわゆる大当たり当選にしたときの演出態様において、ランプ基板２３０が第１
〜第３後部ＬＥＤランプ２３６〜２３８を発光させるように制御を行うと、図１８に示す
ように、演出表示装置３００の画面に重ねて後部導光板２１５の後部模様２１６（例えば
、太陽の図柄形状からなる模様）を発光表示させることができる。なおこのとき、第１〜
第３後部ＬＥＤランプ２３６〜２３８で発光した光はそれぞれ、上方から後部導光板２１
５の各部に入射して、後部模様２１６の凹凸部分で拡散し、後部模様２１６の全体を発光
表示させる。さらに、発生頻度の少ない演出態様として、ランプ基板２３０が、第１〜第
３後部ＬＥＤランプ２３６〜２３８に加えて、第２前部ＬＥＤランプ２３２を発光させる
ように制御を行うと、図１９に示すように、後部導光板２１５の後部模様２１６と前部導
光板２１０の第２前部模様２１２とを組み合わせた特殊な模様（例えば、顔を有する太陽
の図柄形状からなる模様）を発光表示させることができる。なおこのとき、第２前部ＬＥ
Ｄランプ２３２で発光した光は、上方から前部導光板２１０の中央部分に入射して、第２
前部模様２１２の凹凸部分で拡散し、第２前部模様２１２を発光表示させる。このように
、複数の導光板を用いることで、多様な演出を行うことができる。
【００６８】
また例えば、副制御装置４２から可動装飾ユニット１５１に送信された駆動制御信号に
応じて、可動装飾ユニット１５１の左側案内駆動機構１６１Ｌが左側可動装飾部材１５５
Ｌを左右方向に移動させ、可動装飾ユニット１５１の右側案内駆動機構１６１Ｒが右側可
動装飾部材１５５Ｒを左右方向に移動させる。なおこのとき、左側案内駆動機構１６１Ｌ
において、左側案内駆動部１６８Ｌは、左側駆動モータ１６７Ｌからの回転駆動力を受け
て、左側駆動体１６２Ｌと連結された左側可動装飾部材１５５Ｌを左右方向に案内して平
行移動させる。右側案内駆動機構１６１Ｒにおいて、右側案内駆動部１６８Ｒは、右側駆
動モータ１６７Ｒからの回転駆動力を受けて、右側駆動体１６２Ｒと連結された右側可動
装飾部材１５５Ｒを左右方向に案内して平行移動させる。
【００６９】
左側可動装飾部材１５５Ｌおよび右側可動装飾部材１５５Ｒがそれぞれ待機位置に移動
した状態では、演出表示装置３００の画面を前方から視認することができるが、左側可動
装飾部材１５５Ｌおよび右側可動装飾部材１５５Ｒがそれぞれ出現位置に移動した状態で
は、演出表示装置３００の画面が左側可動装飾部材１５５Ｌおよび右側可動装飾部材１５
５Ｒによって覆われる。このとき例えば、左側案内駆動機構１６１Ｌの前面側に施された
装飾と右側可動装飾部材１５５Ｒの前面側に施された装飾とが組み合わされて、左側可動
装飾部材１５５Ｌおよび右側可動装飾部材１５５Ｒの前面側に一体的な装飾（例えば、メ
ッセージ性のある文字形状の装飾）が形成される。
【００７０】
［本実施形態における特徴構成］
［遊技盤の特徴構成］
本実施形態において、遊技盤１００は、出現位置に移動した状態の左側可動装飾部材１
５５Ｌおよび右側可動装飾部材１５５Ｒの前方に配設された透明の後部導光板２１５（お
よび前部導光板２１０）と、左側案内駆動機構１６１Ｌおよび右側案内駆動機構１６１Ｒ
の移動方向（左右方向）に沿って延びて固定部材１４１に取り付けられ、左側可動装飾部
材１５５Ｌおよび右側可動装飾部材１５５Ｒを当該移動方向（左右方向）に案内して移動
させる左側案内駆動機構１６１Ｌおよび右側案内駆動機構１６１Ｒとを備えている。これ
により、左側可動装飾部材１５５Ｌおよび右側可動装飾部材１５５Ｒが左右方向に移動す
る際に前後方向に変位して後部導光板２１５（および前部導光板２１０）に当接する可能
性が殆ど無いため、左側可動装飾部材１５５Ｌおよび右側可動装飾部材１５５Ｒが動く際
に後部導光板２１５（および前部導光板２１０）を損傷させるのを防止することができる
。
【００７１】
なお、後部導光板２１５（および前部導光板２１０）には、第１〜第３後部ＬＥＤラン
プ２３６〜２３８（第１〜第３前部ＬＥＤランプ２３１〜２３３）で発光した光が入射す
ると発光可能な後部模様２１６（第１〜第３前部模様２１１〜２１３）が形成されている
。このような構成では、後部導光板２１５（および前部導光板２１０）の表面に傷がつく
と、当該傷の部分で発光する可能性がある。そのため、左側案内駆動機構１６１Ｌおよび
右側案内駆動機構１６１Ｒを備えることにより、左側可動装飾部材１５５Ｌおよび右側可
動装飾部材１５５Ｒが動く際に後部導光板２１５（および前部導光板２１０）の表面を傷
つけて損傷させるのを防止することができる。
【００７２】
また、後部導光板２１５（および前部導光板２１０）は、センター飾り１２０の前方飾
り１２１に開口部１２３を塞いで取り付けられて、出現位置に移動した状態の左側案内駆
動機構１６１Ｌおよび右側案内駆動機構１６１Ｒの前方に配置される。このような構成に
おいて、後部導光板２１５（および前部導光板２１０）は、出現位置に移動した状態の左
側案内駆動機構１６１Ｌおよび右側案内駆動機構１６１Ｒの前方近傍の配置となりやすい
。そのため、左側案内駆動機構１６１Ｌおよび右側案内駆動機構１６１Ｒを備えることに
より、左側可動装飾部材１５５Ｌおよび右側可動装飾部材１５５Ｒが動く際に後部導光板
２１５（および前部導光板２１０）を損傷させるのを効果的に防止することができる。
【００７３】
また、遊技盤１００に、左側可動装飾部材１５５Ｌおよび右側可動装飾部材１５５Ｒを
固定部材１４１に対し一時的に固定することが可能な左仮固定手段１８１Ｌおよび右仮固
定手段１８１Ｒが設けられている。これにより、輸送等の際に左側可動装飾部材１５５Ｌ
および右側可動装飾部材１５５Ｒが動いて後部導光板２１５（および前部導光板２１０）
を損傷させるのを防止することができる。
【００７４】
また、左仮固定手段１８１Ｌは、固定部材１４１の第１左挿通穴部１９３Ｌおよび支持
ベース１５２の第２左挿通穴部１９４Ｌに挿通されて、左アーム部材１５６Ｌの左係合穴
部１９５Ｌと係合した左仮固定部材１８２Ｌを介して、左側可動装飾部材１５５Ｌを固定
部材１４１に対し一時的に固定することができるように構成されており、固定部材１４１
に、左側可動装飾部材１５５Ｌが移動可能な状態で左仮固定部材１８２Ｌを着脱可能に保
持することが可能な第１左保持部１９１Ｌおよび第２左保持部１９２Ｌが設けられる。同
様に、右仮固定手段１８１Ｒは、固定部材１４１の第１右挿通穴部（図示せず）および支
持ベース１５２の第２右挿通穴部１９４Ｒに挿通されて、右アーム部材１５６Ｒの右係合
穴部１９５Ｒと係合した右仮固定部材１８２Ｒを介して、右側可動装飾部材１５５Ｒを固
定部材１４１に対し一時的に固定することができるように構成されており、固定部材１４
１に、右側可動装飾部材１５５Ｒが移動可能な状態で右仮固定部材１８２Ｒを着脱可能に
保持することが可能な第１右保持部（図示せず）および第２右保持部（図示せず）が設け
られる。これにより、左仮固定部材１８２Ｌおよび右仮固定部材１８２Ｒを用いて、容易
に左側可動装飾部材１５５Ｌおよび右側可動装飾部材１５５Ｒを一時的に固定することが
可能であり、左側可動装飾部材１５５Ｌおよび右側可動装飾部材１５５Ｒを固定しない場
合にも、左仮固定部材１８２Ｌおよび右仮固定部材１８２Ｒを紛失することなく、固定部
材１４１に装着しておくことができる。
【００７５】
上述の実施形態において、左仮固定部材１８２Ｌが左アーム部材１５６Ｌの左係合穴部
１９５Ｌと係合し、右仮固定部材１８２Ｒが右アーム部材１５６Ｒの右係合穴部１９５Ｒ
と係合するように構成されているが、これに限られるものではなく、左仮固定部材１８２
Ｌが左側可動装飾部材１５５Ｌに形成された左係合穴部（図示せず）と係合し、右仮固定
部材１８２Ｒが右側可動装飾部材１５５Ｒに形成された右係合穴部（図示せず）と係合す
るように構成されてもよい。
【００７６】
上述の実施形態において、左側可動装飾部材１５５Ｌおよび右側可動装飾部材１５５Ｒ
が左右方向に移動可能に構成されているが、これに限られるものではない。例えば、可動
装飾部材が上下方向に移動可能に構成されてもよく、単数もしくは複数の可動装飾部材が
出現位置と待機位置とに移動可能であって、案内駆動機構が可動装飾部材を移動方向に案
内して移動させるように構成されていればよい。
【００７７】
上述の実施形態において、固定部材１４１における開口部１４２の上方に、可動装飾ユ
ニット１５１の左側案内駆動機構１６１Ｌおよび右側案内駆動機構１６１Ｒが設けられて
いるが、これに限られるものではなく、左側可動装飾部材１５５Ｌおよび右側可動装飾部
材１５５Ｒを左右方向に案内して移動させる案内駆動機構が、固定部材１４１における開
口部１４２の下方に左右方向に延びて設けられるようにしてもよい。
【００７８】
上述の実施形態において、出現位置に移動した状態の左側可動装飾部材１５５Ｌおよび
右側可動装飾部材１５５Ｒの前方に、発光表示装置２００の後部導光板２１５（および前
部導光板２１０）が配置されているが、これに限られるものではなく、出現位置に移動し
た状態の左側可動装飾部材１５５Ｌおよび右側可動装飾部材１５５Ｒの後方に、発光表示
装置２００の前部導光板２１０（および後部導光板２１５）が配置される構成であっても
よい。また、前部導光板２１０および後部導光板２１５は、前後に並ぶ順序が逆であって
もよい。また、前部導光板２１０および後部導光板２１５は、透明に限らず、半透明であ
ってもよい。また、導光板の枚数は、２枚に限らず、１枚でも３枚以上でもよい。
【００７９】
上述の実施形態において、左右方向に移動可能な左側棒状部材１７５Ｌおよび右側棒状
部材１７５Ｒを有する後部装飾ユニット１７１が設けられているが、これに限られるもの
ではなく、本実施形態と同様の仮固定手段を用いて、左側棒状部材１７５Ｌおよび右側棒
状部材１７５Ｒを一時的に固定可能に構成されてもよい。また、左側棒状部材１７５Ｌお
よび右側棒状部材１７５Ｒを有する後部装飾ユニット１７１が設けられない構成であって
もよい。
【００８０】
上述の実施形態において、本発明が適用される弾球遊技機の一例として、ぱちんこ遊技
機を例示して説明したが、これに限定されるものではなく、例えば、アレンジボール、雀
球遊技機などについても同様に適用し、同様の効果を得ることができる。
【符号の説明】
【００８１】
ＰＭ  ぱちんこ遊技機（弾球遊技機）
ＰＡ  遊技領域
１００  遊技盤
１０１  ベース部材
１０２  中央穴部
１２０  センター飾り
１２１  前方飾り
１３１  後方飾り
１４１  固定部材
１４２  開口部
１５１  可動装飾ユニット
１５５Ｌ  左側可動装飾部材
１５５Ｒ  右側可動装飾部材
１５６Ｌ  左アーム部材
１５６Ｒ  右アーム部材
１６１Ｌ  左側案内駆動機構
１６１Ｒ  右側案内駆動機構
１８１Ｌ  左仮固定手段
１８１Ｒ  右仮固定手段
１９１Ｌ  第１左保持部
１９２Ｌ  第２左保持部
１９３Ｌ  第１左挿通穴部
１９４Ｌ  第２左挿通穴部
１９５Ｌ  左係合穴部
２００  発光表示装置
２１０  前部導光板
２１５  後部導光板
【図１】
2015150171.tif 000003
【図２】
2015150171.tif 000004
【図３】
2015150171.tif 000005
【図４】
2015150171.tif 000006
【図５】
2015150171.tif 000007
【図６】
2015150171.tif 000008
【図７】
2015150171.tif 000009
【図８】
2015150171.tif 000010
【図９】
2015150171.tif 000011
【図１０】
2015150171.tif 000012
【図１１】
2015150171.tif 000013
【図１２】
2015150171.tif 000014
【図１３】
2015150171.tif 000015
【図１４】
2015150171.tif 000016
【図１５】
2015150171.tif 000017
【図１６】
2015150171.tif 000018
【図１７】
2015150171.tif 000019
【図１８】
2015150171.tif 000020
【図１９】
2015150171.tif 000021